(57)【要約】【課題】接触板を感温部の両側の２つ以上の押圧部で被測温体の表面に押圧して、接触板を被測温体の表面に面接触させることでき、しかも、構造が単純で部品点数が少なく、著しく薄型に形成できる接触式温度センサを提供する。【解決手段】被測温体２０に当接する接触板１２と、該接触板１２から熱を伝達される感温部１４と、前記接触板１２を前記被測温体２０に押圧する押圧手段１６、１７とを有する接触式温度計１において、前記感温部１４を前記接触板１２の背後に配設し、該接触板１２の両端を固定支持部１１に保持すると共に、前記押圧手段１６、１７を、両端側の押圧部１６が前記接触板１２を押圧し、中心側１８が固定支持部１１に保持される板バネ１７で形成し、前記感温部１４を挟む少なくとも２カ所以上の押圧部１６で前記接触板１２を押圧するように構成する。【選択図】図１
2010112727.tif 000002
【特許請求の範囲】
【請求項１】
被測温体に当接する接触板と、該接触板から熱を伝達される感温部と、前記接触板を前記被測温体に押圧する押圧手段とを有する接触式温度計において、
前記感温部を前記接触板の背後に配設し、該接触板の両端を固定支持部に保持すると共に、
前記押圧手段を、両端側の押圧部が前記接触板を押圧し、かつ、中心側が固定支持部に保持される板バネで形成し、前記感温部を挟む少なくとも２カ所以上の前記押圧部で前記接触板を前記被測温体に押圧することを特徴とする接触式温度センサ。
【請求項２】
前記板バネの前記感温部に面する部分に切り抜き又は切り欠きを設けたことを特徴とする請求項１に記載の接触式温度センサ。
【請求項３】
前記押圧部を前記板バネに取り付けた押圧部材で形成したことを特徴とする請求項１又は２に記載の接触式温度センサ。
【請求項４】
前記接触板を、一端側を折り曲げて形成し、この折り曲げ部分を前記固定支持部又は前記固定支持部に固定される固定部材に引っ掛けて前記接触板の一端側を保持することを特徴とする請求項１、２又は３に記載の接触式温度センサ。
【発明の詳細な説明】
【技術分野】
【０００１】
本発明は、アルミホイルやガラスや各種のシート状物の製造工程等において、移動している材料や製品に直接に接触して温度を測定する接触式温度センサに関するものである。より詳細には、接触式温度センサの接触板を押圧する構造に関する。
【背景技術】
【０００２】
移動している材料や製品等の被測温物の移動表面に直接接触して温度を測定する接触式温度サンサでは、熱電素子の感温部を接触板を介して被測温体に当接して測温しているが、この接触式温度センサには、接触板自体の弾性変形力を利用して、接触板を被測温体に押圧する弾性接触板タイプと、接触板と押圧力を発生する弾性体とを組み合わせて、接触板の背後を弾性体で押圧する弾性体押圧タイプとがある。
【０００３】
この弾性体押圧タイプでは、接触板の両端を板バネで保持し、中央をコイルバネで付勢された押しピンで押圧したり、また、両脚部を上下動可能に取り付けた略コ字形の接触板の中心に熱電対固定部を設け、その両側の対称位置をコイル状スプリングやゴム等の弾性支持体で押圧したりしている。また、テコ部を有する補助板を接触板の両端近傍に固定して、補助板の弾性力により接触板の両端部に曲げモーメントを発生させて、センサ体を背面に固定した接触板の中央部を凸状に膨出させたり、接触板の両端を支持バーを長孔のガイド孔に遊嵌して移動可能に保持し、接触板の中央部を環状弾性体で押圧したりしている。
【０００４】
この接触板の背後を弾性体で押圧する弾性体押圧タイプを、移動表面の測定に使用する場合には、接触板が被測温体の移動表面から浮き上がらないように、特殊な形状をした補助板や環状弾性板を使用しているので、接触板の材料に最適なものを選択でき、押圧力も最適な状態にできる。そのため、優れた測温精度が得られ、しかも、接触特性と押圧特性とを別にして設計できるので設計が容易となる。しかしながら、その反面、部品点数が増加するという問題と高い工作精度が要求されるという問題がある。
【０００５】
これらの問題に対応するために、被測温体に当接する接触板と、この接触板から熱を伝達される感温部と、接触板を被測温体に押圧する手段とを有する接触式温度計において、感温部を接触板の背後に配設し、この接触板の両端近傍に配置された接触板支持部を固定支持部に保持すると共に、押圧手段を、一端側が接触板を押圧し、他端側が固定支持部に保持される板バネで形成し、感温部を挟む少なくとも２ヶ所以上の押圧部で接触板を押圧する接触式温度センサが提案されている（例えば、特許文献１参照）。
【０００６】
この接触式温度センサは、厚さが一定でピンホール等の欠陥が無い品質の優れたアルミ薄板やアルミホイルを製造するために、移動中のアルミ板の温度や移動速度等の管理を厳しく行うアルミ薄板やアルミホイルの製造工程において、高い計測精度と優れた応答性を発揮できる小型で薄型のセンサとなっている。また、この接触式温度センサは測温現場で被測温物の状態の変化や被測温物自体の変更に対応して、接触式温度センサの押圧力を容易に調整できるように構成されている。
【０００７】
しかしながら、複写機の定着ローラの温度測定等では、定着ローラの周囲において、温度センサを配置できるスペースが非常に狭くなっているために、更にセンサ部の厚みが薄く、狭いスペースでも設置可能な接触式温度センサが求められている。
【特許文献１】特開２００３−２２７７６０号公報
【発明の開示】
【発明が解決しようとする課題】
【０００８】
本発明は、上記の問題に鑑みてなされたものであり、その目的は、接触板を感温部の両側の２つ以上の押圧部で被測温体の表面に押圧して、接触板を被測温体の表面に面接触させることができ、しかも、構造が単純で部品点数が少なく、著しく薄型に形成できる接触式温度センサを提供することにある。
【課題を解決するための手段】
【０００９】
本発明に係る接触式温度センサは、被測温体に当接する接触板と、該接触板から熱を伝達される感温部と、前記接触板を前記被測温体に押圧する押圧手段とを有する接触式温度計において、前記感温部を前記接触板の背後に配設し、該接触板の両端を固定支持部に保持すると共に、前記押圧手段を、両端側の押圧部が前記接触板を押圧し、かつ、中心側が固定支持部に保持される板バネで形成し、前記感温部を挟む少なくとも２カ所以上の前記押圧部で前記接触板を前記被測温体に押圧するように構成する。
【００１０】
この接触板の保持は、固定支持、接触板に設けた支持軸の枢支・軸支等による回転自在の支持、支持バーの遊嵌による所定の範囲内の移動可能な支持等を含む。なお、押圧部においては、押圧部と接触板とを接合せずに押圧状態で当接させ、押圧部と接触板とが滑動するように構成する。また、板バネは１枚で形成してもよく、複数枚の板バネを重ねたり、押圧手段を複数の板バネで押圧したりしても良い。
【００１１】
この構成によれば、感温部の両側を２点以上で押圧するので、接触板を、被測温体の表面形状に合わせて、被測温体に的確に当接することができ、感温部への熱伝達が円滑に行われ、正確な温度測定ができるようになる。
【００１２】
その上、押圧手段を板バネで形成し、この板バネの中心側の部位で固定支持部に保持し、板バネの両端側の押圧部で接触板を押圧するので、最小で１枚の板バネで２箇所以上を押圧できる。そのため、部品数を減少でき、センサ本体の厚みを非常に薄くできる。更に、板バネの長手方向に関して中心部のみを保持するので、板バネ保持用の部品数又は接合箇所が減少する。その結果、接触式温度センサを小型化、軽量化することができ、また、手間が減少し工作性が向上する。
【００１３】
上記の接触式温度センサにおいて、前記板バネの前記感温部に面する部分に切り抜き又は切り欠きを設けて構成する。この構成によれば、接触板を板バネで押圧して接触板を、ローラ等の凸形状の被側温体に当接させた際に、感温部が板バネの切り抜き又は切り欠き部分に入るので、感温部が板バネに接触して損傷することを回避できる。そのため、更に薄型にできる。
【００１４】
上記の接触式温度センサにおいて、前記押圧部を前記板バネに取り付けた押圧部材で形成する。この構成によれば、押圧部材をシリコンゴム等の板バネと別の弾性材料で形成することができ、接触板を押圧する際の押圧力やバネ定数の設定が容易となる。また、板バネの凸部等で形成した押圧部よりも、その形状や押圧面積をより自由に形成することができ、板バネの強度を維持しながら、押圧力及びバネ定数を小さくすることができる。従って、接触板側の接触面と被測温体の移動表面との間の摩擦力を減少できる。その結果、発生する摩擦熱による測定誤差を小さくでき、また、被測温体の移動表面が損傷を受けることも少なくなる。
【００１５】
上記の接触式温度センサにおいて、前記接触板を、一端側を折り曲げて形成し、この折り曲げ部分を前記固定支持部又は前記固定支持部に固定される固定部材に引っ掛けて前記接触板の一端側を保持する。なお、他端側の固定支持部への保持機構については、固定支持、回転自在の支持、所定の範囲内の移動可能な支持などを用いることができる。
【００１６】
この構成によれば、接触板の一端側の保持が簡便化し、接触板の保持機構を小型化できる。更に、他端側のみを点溶接等で固定するだけで、接触板を固定支持板に保持できるので、部品点数が少なくなり製作が容易となる。また、接触板の一端側が完全固定支持ではないので、接触板が被測温体の形状に沿って変形し易くなる。両端を固定した場合には、振動や熱膨張などにより固定部に負担が係るが、一端固定によりこれを避けることができる。また、全く固定しない場合には、接触板の位置が不安定な状態に成り易いという問題があるが、これも避けることができる。
【発明の効果】
【００１７】
以上に説明したように、本発明の接触式温度計センサによれば、被測温体に当接する接触板に設けた感温部の両側を板バネの両端側の押圧部で押圧するので、この押圧部の間の接触板の部分を被測温体に押圧して面接触させることができる。そのため、この押圧部の間に配置された感温部への熱伝達が円滑に行われるので、温度測定の精度が向上する。
【００１８】
また、押圧力の発生に板バネと押圧部を使用しているため、接触板自身で押圧力を発生させる必要が無くなるので、接触板の設計が容易となる。また、最低で１枚の板バネで押圧可能となるので、押圧手段の構成が著しく単純になり、押圧力の設定及び調整も容易となる上に、部品点数が少なくなる。また、接触式温度センサのセンサ部の厚みを薄くすることができる。
【発明を実施するための最良の形態】
【００１９】
次に、本発明の実施の形態の接触式温度センサについて図面を参照しながら説明する。なお、図面に関しては、構成が分かり易いように寸法を変化させており、各部材、各部品の板厚や幅や長さ等の比率も必ずしも実際に製造するものの比率とは一致させていない。
【００２０】
この本発明の実施の形態の接触式温度センサ１は、図１〜図１２に示すように、計測部側に接続される各種端子部に接続する端子部（図示しない）を有するリード線３とリード線３を保護するシリコン収縮チューブ４とつなぎ線５とこのつなぎ線５の先端側に設けられたセンサ基部６とこのセンサ基部に接続されたセンサ部１０とからなる。
【００２１】
図１〜図３は、板状に形成されるセンサ基部６が両脇に配置された２つの切り欠き部６ａとつなぎ線５のための線固定部２を備えた構造をしている場合を示す。この切り欠き部６ａに被測温体２０側のセンサ固定部分にネジ止めされるネジ部材等を嵌め込んで、このセンサ基部６をセンサ固定部分に固定する。
【００２２】
図４〜図６は、板状に形成されるセンサ基部６が長手方向に配置された２つの切り欠き穴６ｂと線固定部２を備えた構造をしている場合を示す。この切り欠き穴６ａに被測温体２０側のセンサ固定部分にネジ止めされるネジ部材等を嵌め込んで、このセンサ基部６をセンサ固定部分に固定する。
【００２３】
図７〜図９は、ブロック状に形成されるセンサ基部６が幅方向に配置された２つのネジ穴６ｃと線固定部２を備えた構造をしている場合を示す。このネジ穴６ｃに被測温体２０側のセンサ固定部分にネジ止めされるネジ部材等をネジ込んで、このセンサ基部６をセンサ固定部分に固定する。なお、この構成では、線固定部２はセンサ基部６の内側に設けられる。言い換えれば、センサ基部６を形成する部材の間に線固定部２が挟まれた状態となる。
【００２４】
図１０〜図１２は、ブロック状に形成されるセンサ基部６が長手方向に配置された２つのネジ穴６ｃと線固定部２を備えた構造をしている場合を示す。このネジ穴６ｃに被測温体２０側のセンサ固定部分にネジ止めされるネジ部材等をネジ込んで、このセンサ基部６をセンサ固定部分に固定する。なお、この構成では、線固定部２はセンサ基部６の側面に設けられる。
【００２５】
図１３〜図１５にその詳細を示すように、センサ部１０は、固定支持板（固定支持部）１１と、被測温体２０に接触する接触板１２と、この接触板１２の一端側を支持する固定部材１３と、接触板１２の中央背後に配設される熱電素子の感温部１４と、この感温部１４から導出されるリード線１５と、接触板１２を被測温体２０に押圧部１６で押圧する板バネ（接圧バネ）１７を有して構成される。
【００２６】
この固定支持板１１は、センサ部１０を構成するホルダー又はフレームの部分であり、この実施の形態では、図１６に示すように、先端側の中央が切り欠きとなったＵ字形状又はコの字形状の板材で形成され、切り欠きと反対側がセンサ基部６に接続される。
【００２７】
この固定支持板１１は、ＳＵＳ３０４等のバネ性を有するステレンス鋼材で形成され、ポリイミド、テフロン（登録商標）等の合成樹脂で被覆される。この被覆には、固定支持板１１の金属表面が被測温対２０に直接接触する事による摩擦を低減する効果があり、これにより、互いの当接によって互いが損傷を受けることを防止する。寸法的には、例えば、板厚が０．３ｍｍ〜１．０ｍｍ程度、幅５ｍｍ〜２０ｍｍ程度、長さ１５ｍｍ〜５０ｍｍ程度である。
【００２８】
接触板１２は、図１３〜図１５に示すように、帯状の部材の一端側を側面視でフの字形状になるように折り曲げて、この折り曲げ部分を、固定支持板１１の先端側に固定される固定部材１３に引っ掛けて係止し、接触板１２の一端側を保持する。この接触板１２の一端側は側面視で固定支持板１１から被測温体２０側に、被測温体２０に接触する部分を突出させるように折り曲げる。一方、この接触板１２の他端側は、円弧状に折り曲げてから更に被測温体２０に接触する部分と平行になるように折り曲げる。この平行となる折り曲げ部分から先を固定支持板１１に固定する。ここでは、点溶接により接触板１２の他端側を固定支持板１１の後端側即ちセンサ基部６側に固定する。
【００２９】
この構成にすることで、他端側のみを点溶接等で固定するだけで、接触板１２を固定支持板１１に保持できるので、部品点数が少なくて済む上に、製作が容易となる。また、一端側と他端側の２ヶ所を固定した場合には、振動や熱膨張などにより、接触板１２と固定支持板１１との固定部に負担が係るが、この場合にはこれを避けることができる。また、全く固定しない場合には、接触板１２の位置が不安定な状態に成り易いという問題がある。
【００３０】
この接触板１２は、ステンレス等の金属板で帯状に形成され、被測温体２０からの熱伝達、及び、中央の背後に配置する感温部１４への熱伝達が円滑に行われるように熱伝導率の高い材料で形成する。また、押圧部１６により押圧されて被測温体２０の移動表面２０ｆに押しつけられるので、折れ曲がらず、また移動表面２０ｆから摩擦力を受けても座屈変形しない程度の弾性と強度を有するように形成する。この接触板１２は、例えば、板厚が０．０１ｍｍ〜１．０ｍｍ程度、幅２ｍｍ〜１５ｍｍ程度の金属板で形成されると共に、ポリイミド、テフロン（登録商標）等の合成樹脂で被覆される。この被覆には、被測温体２０と接触板１２の金属同士の摩擦を低減する効果があり、これにより、被測温体２０が接触板１２の当接によって損傷することを防止する。
【００３１】
また、固定部材１３は点溶接（スポット溶接）や接着やネジ止め等により固定支持板１１の被測温体２０とは反対側に固定される。この固定部材１３を固定支持板１１と同じ材料で形成すると材料の種類の増加を防止できる。この固定部材１３は、図１６及び図１７に示すように、固定支持板１２の幅と同じで、長さは接触板１２の一端側を支持できる程度の長さに形成する。この長さは数ｍｍ程度あれば十分である。
【００３２】
なお、この接触板１２の保持に関しては、被測温体２０の特性やセンサ部１０を配置するスペース等によっては、必ずしも、この実施の形態の保持方法で保持する必要はなく、他の保持方法を採用することもできる。例えば、両端近傍に棒状に突出した接触板支持部（支持バー）を設け、この接触板支持部を固定支持部１１に形成された長孔に形成されたガイド孔に遊嵌し、この遊嵌により、ガイド孔内を移動できるように保持することもできる。この接触支持部は、支持バーを直接スポット溶接して設けることもできるが、接触板支持（支持バー）を有する板材で接触板１２を両側から挟持してスポット溶接して設けることもできる。
【００３３】
また、感温部１４は、接触板１２の中央背後に配設される熱電素子であるが、この熱電素子は、熱電対の熱接点やサーミスタ等で構成することができる。この実施の形態では、感温部１４を熱電対で形成する。この場合は、感温部１４は熱電対の熱接点となる。この感温部１４は、熱伝達を効率よく受けることができるように、溶接や接着等により接触板１２に固定される。なお、感温部１４を直接接触板１２に接合できない場合には、当て板を用意して、この当て板と接触板１２の間に感温部１４を挟持し、感温部１４の両側の当て板の部分を接触板１２に溶接や接着等により接合して、感温部１４を接触板１２に固定してもよい。
【００３４】
感温部１４の熱電対から導出される熱電対線であるリード線１５は押圧部１６の横を通って、固定支持部１１の接触板１２の上側を導かれて、センサ基部６に入り、つなぎ線５に接続される。このつなぎ線５は補償導線のリード線３に接続され、リード線３は図示しない測定部に接続される。この測定部では、感温部１４からの出力を温度に変換し、温度表示したり、データ処理装置に出力したりする。なお、リード線３とつなぎ線５の接合部分はシリコン収縮チューブ４により保護する。
【００３５】
また、板バネ１７は、ステンレスやバネ鋼板等の弾力性のある薄い金属で形成される。この板バネ１７は、図１８に示すように、平面視で四角形に形成し、内側の感温部１４に面する部分に四角形の切り抜き（開口部）１７ａを設ける。
【００３６】
この切り抜き１７ａにより、接触式温度センサ１のセンサ部１０を薄く形成した場合でも、接触板１１で被側温体２０を板バネ１７で押圧した際に、感温部１４がこの切り欠き１７ａに入り、感温部１４に板バネ１７が接触して感温部１４を損傷することが無くなる。そのため、更に薄型にできる。
【００３７】
この板バネ１７は、例えば、板厚が０．０１ｍｍ〜１ｍｍ程度で、外側の四角形は幅は固定支持板１１の幅と長さに対応させて形成され、切り抜き１７ａの内側の四角形は接触板１２の幅と押圧部１６、１６の間の距離に対応させて形成される。この長手方向の両側に押圧部材１６を接合して設ける。
【００３８】
この板バネ１７は１枚で構成され、感温部１４を挟んで対称となる位置の２カ所に押圧部材１６を設けて接触板１２を押圧するように構成される。この板バネ１７は、長手方向の中心の保持部１８で、固定支持板１１に保持される。この実施の形態では、点溶接等により保持部１８を固定支持板１１に接合して保持する。なお、固定に限らず、上から押さえて保持部１８を固定支持板１１に保持しても良いが、押さえる場合に押さえる部品が必要となる。また、小型化する場合には、図１９に示すように、板バネ１７の固定支持板１１に接合される保持部１８の部分の幅を広く形成して、この保持部１８の部分の接合強度や板バネ１７の部材の強度を補強することが好ましい。又、板バネ１７を複数枚重ねる形で形成することにより、接圧をより容易に調整することができるようになる。
【００３９】
また、接触板１２が被測温体２０に接触しない状態で、板バネ１７が接触板１２と平行になるように配置すると、接触式温度センサ１全体を非常に薄く形成することができるようになる。
【００４０】
押圧部材１６は、板バネ１７とは別の材料であるシリコンゴム等の弾性材料で形成し、板バネ１７に貼り付ける。この押圧部材１６は角柱、円柱、角錐台、円錐台、半球等各種の形状で形成することができる。この押圧部材１６を設けることにより、押圧部を板バネ１７をプレス加工などにより形成した凸部で形成する場合よりも、押圧部の形状や押圧面積を比較的自由に形成することができる。そのため、押圧力Ｆｃやバネ定数の設定が容易となる。特に、板バネ１７の強度を維持しながら、押圧力Ｆｃ及びバネ定数を小さくできるので、接触板１２の接触面と被測温体２０の移動表面（回転表面）２０ｆとの間の摩擦力が減少し、発生する摩擦熱による測定誤差を小さくできる。また、被測温体２０の移動表面２０ｆを傷つけることも少なくすることができる。
【００４１】
また、必要な押圧力Ｆｃ及びバネ定数によっては、必ずしも、押圧部材１６を弾性材料で形成する必要はなく、被測温体２０の性状と、接触板１１の性状と、板バネ１７の性状とによっては剛性の高い材料で形成してもよい。また、板バネ１７に凸部を形成して押圧部材１６の代わりとしてもよく、板バネ１７の先端側を折り曲げて押圧部材１６の代わりしてもよい。これらの場合には、板バネ１７のみの弾性に頼ることになるので、柔らかな押圧が難しくなり、接触板１１が傷み易くなるが、部品点数が減少し、また、押圧部材１６を板バネ１７に貼り付ける工数も無くなる。
【００４２】
次に、このセンサ部１０の組み立てについて説明する。図１６に示すような固定支持板１１の先端側に、図１７に示すような固定部材１３を点溶接等により接合する。また、一端側をＵ字形状に折り曲げて他端側を円弧状に折り曲げた接触板１２に、リード線１５を伴う感温部１４を点溶接等により接合させる。また、図１８又は図１９に示すような形状の板バネ１７に、押圧部材１６を接着剤等で貼り付ける。
【００４３】
その後、図１３及び図１４に示すように、この接触板１２の一端側を固定部材１３に引っ掛けて、接触板１２の凹部が被測温体２０側になるように、また、接触板１２の他端側が被測温体２０と反対側になるように、接触板１２を固定支持板１１に取り付けて、他端側を点溶接して接触板１２を固定支持板１１に保持する。
【００４４】
その後、図１３及び図１４に示すように、押圧部材１６を貼り付けた板バネ１７を固定支持板１１の被測温体２０と反対側に保持させる。この保持は、板バネ１７を固定支持板１１に載せて、板バネ１７の長手方向の中心部の保持部１８における点溶接等により固定支持板１１に接合して保持する。
【００４５】
これにより、センサ部１０の組み立ては完了する。この組み立てたセンサ部１０を、図１〜図１２に示すようなセンサ基部６に取り付けて、リード線１５をつなぎ線５に接合し、接触式温度センサ１（１Ａ、１Ｂ、１Ｃ）を組立てる。
【００４６】
次に、この接触式温度センサ１の使用方法について説明する。この図１〜図１２示す構成の接触式温度センサ１のリード線３を図示しない測定部側に結合する。この測定部は、感温部１４からの出力を温度に変換し、温度表示したり、データ処理装置に出力したりする。
【００４７】
この接触式温度センサ１（１Ａ、１Ｂ、１Ｃ）のセンサ部１０（１０Ａ、１０Ｂ、１０Ｃ）を、例えば、複写機の定着ローラ等の回転体である被測温体２０の移動表面２０ｆに押圧する。この押圧により、１枚の板バネ１３に設けた押圧部材１６により、感温部１４の両側は押圧され、しかも、図１５に示すように、この押圧力Ｆｃは押圧部の間を引張る方向に作用するので、押圧部１６の間の接触板１２を線状ではなく面状で移動表面２０ｆに押圧して、接触板１２を被測温体２０の移動表面２０ｆに密着させることができる。
【００４８】
従って、接触板１２を被測温体２０に密着させることができるので、被測温体２０の熱が移動表面２０ｆから接触板１２に円滑かつ迅速に伝達される。そして、この熱が感温部１４に伝達されるので、接触板１２と感温部１４とが移動表面２０ｆの温度と迅速に同じ温度になる。そのため、応答性が良く、正確な温度測定ができる。
【００４９】
上記の構成の接触式温度計センサ１（１Ａ、１Ｂ、１Ｃ）によれば、被測温体２０の移動表面２０ｆに当接する接触板１２の背後に設けた感温部１４の両側を、板バネ１７の両端側の押圧部材１６で押圧するので、この押圧部材１６の間の接触板１２の部分を被測温体２０の移動表面２０ｆに押圧して面接触させることができる。そのため、移動表面２０ｆから、押圧部材１６の間に配置された感温部１４への熱伝達が円滑に行われるので、温度測定の精度が向上する。
【００５０】
また、押圧力Ｆｃの発生に板バネ１７と押圧部材１６を使用しているため、接触板１２自身で押圧力Ｆｃを発生させる必要が無くなるので、接触板１２の設計が容易となる。また、最低で１枚の板バネ１７で押圧可能となるので、押圧手段１６、１７の構成が著しく単純になり、押圧力Ｆｃの設定及び調整も容易となる上に、部品点数が少なくなる。また、接触式温度センサ１（１Ａ、１Ｂ、１Ｃ）のセンサ部１０（１０Ａ、１０Ｂ、１０Ｃ）の厚みを、例えば２ｍｍ以下と極めて薄くすることができる。
【図面の簡単な説明】
【００５１】
【図１】本発明の実施の形態の接触式温度計センサの構成を示す平面図である。
【図２】図１の接触式温度計センサのセンサ部の側面を示す図である。
【図３】図１の接触式温度計センサのセンサ部の裏側を示す図である。
【図４】本発明の実施の形態の接触式温度計センサの他の構成を示す平面図である。
【図５】図４の接触式温度計センサのセンサ部の側面を示す図である。
【図６】図４の接触式温度計センサのセンサ部の裏側を示す図である。
【図７】本発明の実施の形態の接触式温度計センサの他の構成を示す平面図である。
【図８】図７の接触式温度計センサのセンサ部の側面を示す図である。
【図９】図７の接触式温度計センサのセンサ部の裏側を示す図である。
【図１０】本発明の実施の形態の接触式温度計センサの他の構成を示す平面図である。
【図１１】図１０の接触式温度計センサのセンサ部の側面を示す図である。
【図１２】図１０の接触式温度計センサのセンサ部の裏側を示す図である。
【図１３】本発明の実施の形態の接触式温度計センサのセンサ部の構成を示す、一部断面を含む斜視図である。
【図１４】図１３のセンサ部の側断面図である。
【図１５】図１３のセンサ部が被測温体に接触している時のセンサ部の側断面図である。
【図１６】固定支持板の形状を示す平面図である。
【図１７】固定部材の形状を示す平面図である。
【図１８】板バネの形状を示す平面図である。
【図１９】板バネの他の形状を示す平面図である。
【符号の説明】
【００５２】
１、１Ａ、１Ｂ、１Ｃ  接触式温度計センサ
６  センサ基部
１０、１０Ａ、１０Ｂ、１０Ｃ  センサ部
１１  固定支持板（固定支持部）
１２  接触板
１３  固定部材
１４  感温部（熱電対の熱接点）
１６  押圧部材（押圧部）
１７  板バネ
１７ａ  切り抜き
１８  保持部
２０  被測温体
２０ｆ  移動表面
【図１】
2010112727.tif 000003
【図２】
2010112727.tif 000004
【図３】
2010112727.tif 000005
【図４】
2010112727.tif 000006
【図５】
2010112727.tif 000007
【図６】
2010112727.tif 000008
【図７】
2010112727.tif 000009
【図８】
2010112727.tif 000010
【図９】
2010112727.tif 000011
【図１０】
2010112727.tif 000012
【図１１】
2010112727.tif 000013
【図１２】
2010112727.tif 000014
【図１３】
2010112727.tif 000015
【図１４】
2010112727.tif 000016
【図１５】
2010112727.tif 000017
【図１６】
2010112727.tif 000018
【図１７】
2010112727.tif 000019
【図１８】
2010112727.tif 000020
【図１９】
2010112727.tif 000021